(57)【要約】      （修正有）【課題】合法的かつ衛生的に製造工場からに商品を運搬でき、容易に人一人で販売店舗を組み立て、人力で移行しながら商品を安全に販売することが出来る行商用移動販売店舗を提供する。【解決手段】１，２，３，４は衣装ケースで８は台車である。遮光保温シートが１，２，３，４衣装ケース内に貼付加工されて、その中に商品が保管されている。８の台車はエレベーターでの移動も出来るようにエレベーターの奥行きよりも短く作られている。台車にもともと９の金具が取り付けられており、１，２，３，４衣装ケースの後方下の穴に差し込むことで固定できる。１５は衣装ケース専用の固定金具。また台車前方に１７の穴が開いており、そこに１６を自由に取り付けることが出来る。【選択図】図２
0003144323.tif 000002
【実用新案登録請求の範囲】
【請求項１】
防菌防カビ加工のアルミ蒸着ポリエチレン製シートを貼付し、開閉部分に粘着式のロックを取り付けた衣装ケース
【請求項２】
台車に取り付けた固定金具の部分  ３箇所
【請求項３】
衣装ケースを台車に取り付け加工された固定金具に装着した行商用移動販売店舗
【請求項４】
発砲スチロール箱のフタを半分に切断し、片方を閉じ、もう片方のみが自在に開閉できる部分
【考案の詳細な説明】
【技術分野】
【０００１】本考案は、温度管理の難しい弁当、惣菜等の食料品が四季を問わず屋外で取り扱われる行為、かつ人が一人で運搬できる量を運搬容器に入れて取り扱い、客の求めに応じてその都度商品や金銭の授受のため立ち止まる以外は移行しながら衛生的かつ安全に販売することができる行商用移動販売店舗に関する。
【技術背景】
【０００２】従来の行商用店舗とは、陳列用ワゴンに大きな車輪をつけ、陳列された状態でほぼ固定しながら販売するワゴン店舗や、リヤカーに物品の保管部を設けて販売に廻るものなどが知られている。
【０００３】しかし前記のワゴン式のものは本来行商の定義である「人力で移行しながら販売すること」が困難で、また、ワゴンに陳列して販売すると直射日光を浴びるため、食中毒がおきやすい不衛生な状態での販売となる。そのためパラソルを差す工夫を取るが、すると更に以降が困難となり、公共道路を不法に占有する形となる。またワゴンを保管したり移動したりするためのスペースも確保しなければならず、禁止とされた車両を用いての運搬用具、弁当の各販売地点への運搬が行われていた。またリヤカーは軽車輌のため車道を通行しなければならないので危険を伴い、販売中も客の求めに応じその都度容器のふたを開けて販売するケースが多くその大きさと商品受渡の所要時間から通行の妨げとなっている。一般的に外観にも違和感があり、保管場所にも大きなスペースを必要とする。
【考案が解決しようとする課題】
【０００４】本考案は、製造工場から衛生的に商品を運搬し、容易に人一人で販売店舖を組み立て、人力で移行しながら公共の福祉を乱すことなく安全で合法的に行商販売することが出来るようにすることを課題とする。
【課題を解決するための手段】
【０００５】本考案における前期課題の解決手段は、下記の通り
▲１▼商品保管部である衣装ケースには防菌防カビ加工のアルミ蒸着ポリエチレン製シートを貼付し、開閉部分に粘着式のロックを取り付け、保管された商品を遮光、保温保冷することで温度管理をする。
▲２▼製造工場で作りたてを衣装ケースに定数ずつ入れて容易に運搬できるようにする。
▲３▼衣装ケースを用いることにより商品と金銭の授受の時間を短縮し販売をスムーズに行う。
▲４▼販売用の運搬用具には固定金具をつけた台車を用い、商品の入った衣装ケースをそこに固定させ、更に衣装ケースごとに取り付けた粘着ロックもそれぞれかけて転落を防止する。
▲５▼上部にドリンク販売用の発泡スチロールを置き、片方のみを開閉させながら販売できるようにする。
【考案の効果】
【０００６】遮光保温シートを衣装ケースに貼り付け加工するため商品の温度管理が出来て衛生的。更に温度管理された状態で、製造工場からお客様の手元まで商品が運搬されるため極力外気に触れず衛生状態を保つことができる。また台車へ衣装ケースごとひとつひとつ納品するため販売店舗への組み立てが簡単。またもともと耐荷重３００ｋｇの台車を使用するため販売員が無理な体力を必要とすることなく移行しながら販売でき、スペースもとらないので歩道を渡れて安全。また運搬道具である台車の保管も少しのスペースで済む。
【考案を実施するための最良の形態】
【０００７】製造工場から販売員、お客様の手に商品が渡るまで、衣装ケースと台車を使用する事が特徴。保管スペースを多く必要としない折りたたみ式台車に、商品を保管した衣装ケースを固定金具、粘着ロックによって連結させ、固定する。衣装ケースには遮光保温シートがと粘着ロックが貼付加工され、ドリンク保管用発泡スチロールには半開閉加工がなされている。店舖設置後は人力で移行しながら販売する。
【実施例】
【０００８】以下、図面を参照しながら実施例を説明する。
図１において１．２．３．４は衣装ケースで８は台車である。図４の遮光保温シートが１．２．３．４衣装ケース内に貼付加工されて、その中に商品が保管されている。８の台車はエレベーターでの移動のも出来るようにエレベーターの奥行きよりも短く作られている。台車にもともと９の金具が取り付けられており、１．２．３．４衣装ケースの後方下の穴に差し込むことで固定できる。
１５は衣装ケース専用の固定金具。また台車前方に１７の穴が開いており、そこに１６を自由に取り付けることが出来る。【０００９】製造場所での作業：衣装ケースに製造後の弁当を入れた後、開防止ロックをかける【００１０】納品場所での作業：８の台車を開き１０の車輪ストッパーで台車を静止させた状態で納品を行う。１６の前方転倒防止用固定金具がとりつけられているのを確認し、１．２の衣装ケースを固定金具の位置にあわせて設置する。次に３．４の衣装ケースを１５の固定金具にはめて設置する。１２に１３の幟を差し込む。１４小物入れを手押し部分に引っ掛ける。１１看板を引き出し反対側に引っ掛ける。ドリンク販売必要時には商品の入った５を一番上に置き開閉部分を手前に置く。１０のストッパーを解除し出発する。【００１１】販売時の作業：販売する際は１０のストッパーをかけて静止して商品と金銭の授受を行う。看板部分より客に商品を選んでもらい販売員は引き出し側へ立つ。注文された商品が入った引き出しを開け、上部テーブル部分で商品の確認をする。販売後は開防止ロックを確認し１０を解除して移動する。
【産業上の利用の可能性】
【００１２】以上のように、衛生上管理の難しい弁当や惣菜で大量であっても製造工場にて遮光保温性が高い衣装ケースに少量ずつ保管されて運ばれるので温度管理ができ衛生的な管理ができる。販売店舗は簡単に台車を広げて組み立て、必要分（可能分）の衣装ケースだけを乗せて速やかに販売が開始できるので販売の開始から、終了、まで商品の管理を一人ですることができ、営業の省力化に効果があり、安全な販売を行うことが出来る。またに合法的視点からは、店舗が移行しやすい販売形態に変わり公共道路を占有することなく道路交通法を遵守できる。自宅に台車を保管することで行商用店舗を開設できるので定職率の低い高齢求職者にも容易に職提供が可能となる。また、地震などの災害時にも活用できる。
このような行商販売は特に飲食店の少ないオフィス街に働く人たちのとってはたいへん重宝がられることとなる。
【図面の簡単な説明】
【００１３】
【図１】  本考案実施例の斜視図
【図２】  本考案実施例の上面図と側面図
【図３】  請求項１と３における本考案実施例
【符号の説明】
【００１４】１．２．３．４  衣装ケース
５  開閉自在発砲スチロール
６  遮光保温シート
７  開防止ロック
８  台車
９  固定金具
１０  車輪ストッパー
１１  看板
１２  幟（のぼり）固定金具
１３  のぼり（旗）
１４  小物入れ
１５  衣装ケース備え付け固定金具
１６  前方転倒防止用固定金具
１７  前方転倒防止用固定金具用穴
【図１】
0003144323.tif 000003
【図２】
0003144323.tif 000004
【図３】
0003144323.tif 000005
【手続補正書】
【提出日】平成20年5月22日(2008.5.22)
【手続補正１】
【補正対象書類名】実用新案登録請求の範囲
【補正対象項目名】全文
【補正方法】変更
【補正の内容】
【実用新案登録請求の範囲】
【請求項１】
衣装ケースを台車に固定金具で取り付けた行商用移動販売店舗
【請求項２】
前記衣装ケースは防菌防カビ加工のアルミ蒸着ポリエチレン製シートをケース内面に貼り付け、開閉部分には開防止用粘着式ロックを取り付けたことを特徴とする請求項１記載の行商用販売店舗
【請求項３】
発泡スチロール箱のフタを半分に切断し、片方を閉じ、もう片方のみが自在に開閉できる部分を有する発泡スチロール箱を前記衣装ケースとともに台車に取り付けた請求項１記載の行商用販売店舗